(57)【要約】      （修正有）【課題】ずり落ち防止構造を有する靴下を提供する。【解決手段】靴下の原糸の外側にシリコーンがコーティングされたシリコーンコーティング層を有するシリコーンコーティング糸を用いて、靴下１０の上端部に靴下の原糸製織と連結されるように製織してずり落ち防止部１５を形成することにより、シリコーンの皮膚密着力で靴下の上端部のずり落ちやカールを防止して着用性に優れ、別途の後加工なしに製織機械で簡単に製織して製造するため、製造生産性及び製造品質に優れ、靴下にシリコーンを直接塗布する従来のシリコーン層に比べて、空気の疎通が円滑で皮膚トラブルの防止はもちろん、血液の循環がよくなって、シリコーンの剥離を最小化して耐久性にも優れる。【選択図】図１
2018150663.tif 000002
【特許請求の範囲】
【請求項１】
靴下の原糸で製織する通常の靴下１０において、
靴下の原糸３の外側にシリコーンがコーティングされたシリコーンコーティング層４を有するシリコーンコーティング糸２を用いて、靴下１０の上端部に靴下の原糸製織と連結されるように製織してずり落ち防止部１５を形成することにより、シリコーンの皮膚密着力で靴下の上端のずり落ちやカールを防止するように構成された、ずり落ち防止構造を有する靴下。
【請求項２】
前記ずり落ち防止部１５は、靴下の上端に複数のリング状に製織形成して構成された、請求項１に記載のずり落ち防止構造を有する靴下。
【請求項３】
前記ずり落ち防止部１５は、円周上に複数に分割されるように製織形成して構成された、請求項２に記載のずり落ち防止構造を有する靴下。
【請求項４】
前記靴下１０は、一般的な靴下、足首ソックス及びフットカバーのうちいずれか一つとして構成された、請求項１、請求項２または、請求項３のうちいずれか１項に記載のずり落ち防止構造を有する靴下。 
【発明の詳細な説明】
【技術分野】
【０００１】
本発明は、ずり落ち防止構造を有する靴下に関するものであって、より具体的には、靴下の原糸の外側にシリコーンがコーティングされたシリコーンコーティング糸を用いて、靴下の上端部に靴下の原糸製織と連結されるように製織してずり落ち防止部を形成することにより、シリコーンの皮膚密着力で靴下の上端部のずり落ちやカールを防止して着用性に優れ、別途の後加工なしに製織機械で簡単に製織して製造するため、製造生産性及び製造品質に優れ、靴下にシリコーンを直接塗布する従来のシリコーンプリント方式に比べて、空気の疎通が円滑で皮膚トラブルの防止はもちろん、血液循環がよくなって、シリコーンの剥離を最小化して耐久性も優れるずり落ち防止構造を有する靴下に関するものである。
【背景技術】
【０００２】
一般的に、靴下は、足を保護する機能、防寒機能、その他に足の汗を吸収する機能のように様々な目的のために着用するものである。
【０００３】
このような靴下は、靴下の原糸を用いて製織機械に設定されたプログラムによって、様々な形状及び模様に製織するが、足首の上部まで着用する一般的な靴下、足首まで着用する足首ソックスまたは、フットカバーなどの様々な形態で製織した。
【０００４】
このような従来の靴下は、着用時に靴下の上端の部分がずり落ちたり捲れたりして一定の着用状態を維持しないため履き心地が劣るだけでなく、靴下の機能（足を保護する機能、防寒機能、足の汗を吸収する機能など）を完全に行えない問題点があった。
【０００５】
このために、従来の靴下のずり落ちやカールを防止するために様々な方案が開示された。
【０００６】
例えば、靴下の原糸で靴下を製織して製造した後、別途の工程で靴下の上端部の内側にシリコーンをコーティングしたシリコーンコーティング層を形成し、前記シリコーンコーティング層が皮膚に密着しつつ、靴下のずり落ちやカールを防止するものである。
【０００７】
しかし、前述のシリコーンコーティング方式は、靴下を製織して製造する工程とは別に、靴下にシリコーンをコーティングする工程を実行しなければならないため、作業が非常に複雑かつ煩わしくて、製造原価の上昇及び製造生産性の低下はもちろん、製造品質が大きく劣る問題点があった。
【０００８】
また、前記シリコーンコーティング方式は、作業の熟練性を要するが、主に手作業や半自動方式で作業するため、靴下にシリコーンコーティング層を一定かつ均等に繰り返して塗布するのに困難があり、このために、靴下の品質が一定せず、靴下の商品性が大きく劣る問題点があった。
【０００９】
それだけでなく、前記シリコーンコーティング方式は、靴下の上端部にシリコーンを塗布形成することにより、靴下の原糸とは別途に、シリコーンコーティング層が厚く形成されて着用時に皮膚と全面的に密着しつつ、シリコーンコーティング層と皮膚の間に隙間が形成されないため、空気の疎通が円滑でなく、これにより、皮膚トラブルの発生、血液循環障害を誘発することはもちろん、シリコーンの剥離も容易に発生して耐久性を長く維持できない問題点があった。
【００１０】
一方、前述のシリコーンコーティング方式ではなく、靴下の上端部に靴下の原糸とゴム糸を合糸形態で製織してゴム糸のテンション力によって皮膚に密着するようにするので、靴下のずり落ちやカールを防止する技術が開示されたことがあるが、これは、一般的な靴下の原糸を製織する方式と差があるだけでなく、製織方式が複雑かつ難しくて、一般的な靴下用製織機械ではなく、専用の製織機械を別途に設けて製造されるため、シリコーンコーティングのような後加工が排除され、靴下の品質が均一かつ一定に製造できる利点を有するが、製造過程の複雑さによって靴下の製造原価の上昇、製造生産性の低下等の問題点があった。
【００１１】
特に、前記靴下の原糸とゴム糸を合糸して製織する過程が複雑かつ難しくて作業の不良率が高く、着用時のゴム糸のテンション力によって皮膚を圧迫するに伴って、長時間着用したときに皮膚刺激、皮膚トラブルが発生することはもちろん、ゴム糸のテンション力がますます弱化して、使用耐久性を長く維持することができない問題点があった。
【先行技術文献】
【特許文献】
【００１２】
特許文献１：大韓民国登録実用新案第２０−００７９２３７号
特許文献２：大韓民国公開特許第１０−１９９１−００１９５４９号
特許文献３：大韓民国公開特許第１０−２００４−７５９１８号
【発明の概要】
【発明が解決しようとする課題】
【００１３】
本発明は、前述の従来技術が有する諸般の問題点を解決するために発明されたものであって、靴下の原糸の外側にシリコーンがコーティングされたシリコーンコーティング糸を用いて、靴下の上端部に靴下の原糸製織と連結されるように製織してずり落ち防止部を形成することにより、シリコーンの皮膚密着力で靴下の上端部のずり落ちやカールを防止するので着用性に優れ、別途の後加工なしに製織機械で簡単に製織して製造するため、製造生産性及び製造品質に優れ、靴下にシリコーンを直接塗布する従来のシリコーン層に比べて、空気の疎通が円滑で皮膚トラブルの防止はもちろん、血液循環がよくなって、シリコーン剥離を最小化して優れた耐久性も提供することにその目的がある。
【課題を解決するための手段】
【００１４】
このような本発明は、靴下の原糸の外側にシリコーンがコーティングされたシリコーンコーティング層を有するシリコーンコーティング糸を用いて、靴下の上端部に靴下の原糸製織と連結されるように製織してずり落ち防止部を形成することにより、シリコーンの皮膚密着力で靴下の上端のずり落ちやカールを防止するように構成する。
【００１５】
本発明によると、前記ずり落ち防止部は、靴下の上端に複数のリング状で製織形成して構成する。
【００１６】
本発明によると、前記ずり落ち防止部は、円周上に複数に分割されるように製織形成して構成する。
【００１７】
本発明によると、前記靴下は、一般的な靴下、足首ソックス及びフットカバーのうちいずれか一つで構成する。
【発明の効果】
【００１８】
このような本発明は、靴下の原糸の外側にシリコーンがコーティングされたシリコーンコーティング糸を用いて、靴下の上端部に靴下の原糸製織と連結されるように製織してずり落ち防止部を形成することにより、シリコーンの皮膚密着力で靴下の上端部のずり落ちやカールを防止して着用性に優れた効果を有する。
【００１９】
特に、一般的な靴下の製織と同様に、製織機械に設定されたプログラムによって製織するが、別途の後加工なしに製織機械で簡単に製織して製造するため、製造生産性及び製造品質に優れ、製造原価も大幅に削減する効果を有する。
【００２０】
また、前記靴下にシリコーンを直接塗布する従来のシリコーン層に比べて、シリコーンが均等に塗布されたシリコーンコーティング糸で製織するため、履き心地に優れ、空気の疎通が円滑で皮膚トラブルの防止はもちろん、血液循環がよくなって、シリコーン剥離を最小化して、耐久性にも優れる効果を有する。
【図面の簡単な説明】
【００２１】
【図１】本発明が適用された靴下を示した斜視図。
【図２】図１の正面図。
【図３】本発明のずり落ち防止部の製織例を示した構成図。
【図４】図１の着用状態図。
【図５】及び
【図６】図２の他の実施例を示した正面図。
【図７】本発明の靴下の他の実施例を示した正面図。
【図８】本発明の靴下のまた他の実施例を示した正面図。
【発明を実施するための形態】
【００２２】
以下、前述の本発明の好ましい実施例を添付図面を参照して具体的に説明する。
【００２３】
本発明のずり落ち防止構造を有する靴下は、図１ないし図８に図示されたように、靴下１０の上端部にずり落ち防止部１５を形成して靴下の着用時に靴下の上端部のずり落ちやカールを防止する。
【００２４】
すなわち、前記ずり落ち防止部１５は、靴下の原糸３の外側にシリコーンがコーティングされたシリコーンコーティング層４を有するシリコーンコーティング糸２を形成し、これを用いて靴下１０の上端部に靴下の原糸の製織と連結されるように製織形成し、シリコーンが有する粘着性による皮膚密着力で靴下の上端部のずり落ちやカールを防止して安定した着用ができるように構成される。
【００２５】
また、前記ずり落ち防止部１５は、靴下の上端に図２のように１筋または、図５のように２筋以上のリング状に製織形成してふくらはぎ（足首の上部）、足首部位などを全体的に包みながら、シリコーンの皮膚密着力によって靴下の上端部のずり落ちやカールを防止するように構成される。
【００２６】
このとき、前記ずり落ち防止部１５は、図６のようにリング状に形成するが、円周上に複数に分割されるように製織形成して構成し得る。すなわち、前記シリコーンコーティング糸２で製織した部分と靴下の原糸３で製織した部分が規則的または、不規則的な間隔で交互に位置するように製織して、ふくらはぎ（足首の上部）、足首部位などを部分的に包みながら、シリコーンの皮膚密着力によって靴下の上端部のずり落ちやカールを防止するように構成し得る。
【００２７】
また、本発明の前記ずり落ち防止部１５は、ふくらはぎ部分（足首の上部部分）まで包むように着用する一般的な靴下（図７参照）、足首まで包むように着用する足首ソックス（図４参照）、フットカバー（図８参照）のような様々な形状、模様を有する靴下１０に適用し得る。
【００２８】
そして、前記靴下１０の上端部は、主に二重形態の首部１２に形成されるため、本発明のずり落ち防止部１５を首部１２の内側に製織形成して外側から識別されないように構成することが好ましい。
【００２９】
このような本発明の作用についてさらに説明する。
【００３０】
まず、本発明の靴下１０は、靴下の原糸を用いて製織機械で設定されたプログラムによって様々な形状及び模様に製織するが、ふくらはぎ部分（足首の上部）まで着用する一般的な靴下、足首まで着用する足首ソックスまたは、フットカバーなどの形態に製織する。
【００３１】
特に、靴下１０の上端部に靴下の原糸３の外側にシリコーンがコーティングされたシリコーンコーティング層４を有するシリコーンコーティング糸２を用いて、靴下の原糸製織と連結されるようにリング状に製織するが、製織機械の設定されたプログラムによって製織するため従来のように靴下の製造後にシリコーンを塗布する別途の後加工なしにシリコーンがコーティングされるずり落ち防止部１５を簡単に形成するように製造することになる。
【００３２】
このとき、前記ずり落ち防止部１５は、シリコーンコーティング糸２を用いて、靴下の原糸製織と連結される形態で製織機械によって製織するため、従来のシリコーン塗布方式に比べて作業の熟練性が要求されないだけでなく、シリコーンコーティング糸２によってシリコーンを一定かつ均等に形成し得るため、製造品質が優秀に改善される。
【００３３】
このように製造される本発明の靴下１０は、着用時に靴下１０上端部のずり落ち防止部１５を形成するシリコーンコーティング糸２の外側のシリコーンコーティング層４が有する粘着性による皮膚密着力で靴下の上端部のずり落ちやカールを防止するため安定した着用ができる。
【００３４】
さらに、前記ずり落ち防止部１５は、靴下の原糸３の外側にシリコーンがコーティングされたシリコーンコーティング層４を有するシリコーンコーティング糸２で製織形成するため、従来の靴下の内側にシリコーン層を直接塗布したものに比べて、シリコーンコーティング層４が均等に塗布形成されて皮膚に密着する履き心地に優れるのはもちろん、図３のように製織されたシリコーンコーティング糸２の間での空気の疎通が円滑であることにより、皮膚トラブルの防止及び血液の循環がよくなって、シリコーン層の剥離も最小化される。
【００３５】
したがって、本発明は、靴下の原糸３の外側にシリコーンがコーティングされたシリコーンコーティング層４を有するシリコーンコーティング糸２を用いて、靴下１０の上端部に靴下の原糸製織と連結されるように製織してずり落ち防止部１５を形成することにより、シリコーンの皮膚密着力で靴下の上端部のずり落ちやカールを防止して着用性に優れ、別途の後加工なしに製織機械で簡単に製織して製造するため、製造生産性及び製造品質に優れ、靴下にシリコーンを直接塗布する従来のシリコーン層に比べて、空気の疎通が円滑で皮膚トラブル防止はもちろん、血液の循環がよくなって、シリコーンの剥離を最小化して使用耐久性も長く維持するようになる。
【符号の説明】
【００３６】
２：シリコーンコーティング糸
３：靴下の原糸
４：コーティング層
１０：靴下
１５：ずり落ち防止部 
【図１】
2018150663.tif 000003
【図２】
2018150663.tif 000004
【図３】
2018150663.tif 000005
【図４】
2018150663.tif 000006
【図５】
2018150663.tif 000007
【図６】
2018150663.tif 000008
【図７】
2018150663.tif 000009
【図８】
2018150663.tif 000010